(57)【要約】【課題】入力された商品情報では商品販売データを処理できない状況をオペレータに的確に知らせられるようにする。【解決手段】入力された商品情報で商品販売データの処理が可能か否かを判断する。そして、商品販売データの処理が可能であると判断されたときと不可能であると判断されたときとで、表示部の商品情報エリアの表示状態、例えば背景色を変更する。【選択図】      図８
2006065568.tif 000002
【特許請求の範囲】
【請求項１】
入力された商品情報に基づいて商品販売データを処理する商品販売データ処理装置において、
入力された商品情報を表示するための商品情報エリアを有する表示部と、
入力された商品情報で商品販売データの処理が可能か否かを判断する処理可否判断手段と、
この処理可否判断手段により商品販売データの処理が可能であると判断されたときと不可能であると判断されたときとで前記商品情報エリアの表示状態を変更する表示変更手段と、
を具備したことを特徴とする商品販売データ処理装置。
【請求項２】
商品固有の商品コードが入力されると、この商品コードに対応して予め設定された商品情報を取得し、この商品情報に基づいて商品販売データを処理する商品販売データ処理装置において、
入力された商品コードに基づいて取得した商品情報を表示するための商品情報エリアを有する表示部と、
入力された商品コードに基づいて取得した商品情報で商品販売データの処理が可能か否かを判断する処理可否判断手段と、
この処理可否判断手段により商品販売データの処理が可能である判断されたときと不可能であると判断されたときとで前記商品情報エリアの表示状態を変更する表示変更手段と、
を具備したことを特徴とする商品販売データ処理装置。
【請求項３】
処理可否判断手段は、商品販売データの処理に必須の商品情報項目に対して不足している項目があるとき商品販売データの処理が不可能であると判断し、
前記表示変更手段は、不足している商品情報項目に応じて前記商品情報エリアの表示状態をさらに変更することを特徴とする請求項１または２記載の商品販売データ処理装置。
【請求項４】
前記表示変更手段は、前記商品情報エリアの背景色を変更することを特徴とする請求項１乃至３のいずれかに記載の商品販売データ処理装置。
【発明の詳細な説明】
【技術分野】
【０００１】
本発明は、小売店や飲食店等で使用されるＰＯＳ（Point Of Sales）端末，電子式キャッシュレジスタ等の商品販売データ処理装置に関する。
【背景技術】
【０００２】
例えばＰＯＳ端末は、各商品固有の商品コード（例えば、ＰＬＵ（Price Look Up）コード）に対応して、その商品の品名，単価，分類コード（部門，クラス等），税区分（外税商品，内税商品，非課税商品等）等の商品情報が予め設定された商品情報ファイルを端末内部または外部の記憶部に備えており、キーボード，スキャナ等の入力部を介して買物客が買上げる商品に付された商品コードが入力されると、制御部が前記商品情報ファイルから当該商品コードに対応して設定されている商品情報を取得し、この商品情報を表示部に表示させるとともに、この商品情報に基づいて商品販売データを処理して当該商品の売上を確定するものとなっている。
【０００３】
このようなＰＯＳ端末において、表示部の画面を、入力された最新の商品情報を表示する商品情報エリアと、１商品売買取引において入力された商品情報を累積的に表示する登録履歴エリアと、１商品売買取引の小計金額，税額，請求金額，釣銭額等を表示する金銭情報エリアとに区分したものがある。こうすることにより、ＰＯＳ端末のオペレータは一般的に、商品情報を入力する際には商品情報エリアを見て正誤の確認をし、売上金額を請求する際には金銭情報エリアを見て請求金額や釣銭額を確認する。この場合において、金銭情報エリアの請求金額情報表示領域におけるタイトル部分の背景色と、小計金額及び税額表示領域のタイトル部分の背景色を異ならせたり、釣銭金額表示領域の背景色と他の金額表示領域の背景色とを異ならせたりすることによって、請求金額や釣銭額の認識度を高めるようにした技術は従来から既に知られていた（例えば、特許文献１参照）。
【特許文献１】特開２００１−２５６５５４
【発明の開示】
【発明が解決しようとする課題】
【０００４】
ところで、卵や牛乳等のように単価が頻繁に変更される生鮮食品を取り扱う販売店では、この種の商品の単価を商品情報ファイルに設定する運用を取ると、単価変更の都度単価を設定し直さなければならない面倒があるため、商品情報ファイルに単価を設定せず、買上時に単価を手入力する運用を取る場合がある。このような場合、オペレータが入力部を操作して単価未設定商品の商品コードを入力すると、品名，税区分等の単価を除く商品情報が表示部の商品情報エリアに表示され、単価の入力待ちとなる。この状態で、オペレータが当該商品の単価をキー入力すると、その単価に基づいて当該商品の販売データが処理される。
【０００５】
しかしながら、従来のこの種のＰＯＳ端末においては、単価入力待ちとなった際には、表示部の商品情報エリア外に単価の入力を促すガイダンスが表示されるだけであったので、商品情報エリアを注視しているオペレータがガイダンスに気づかずに単価入力以外の誤操作をしてしまうことがあった。
【０００６】
本発明はこのような事情に基づいてなされたもので、その目的とするところは、入力された商品情報では商品販売データを処理できない状況をオペレータに的確に知らせることができ、誤操作を防止できる商品販売データ処理装置を提供しようとするものである。
【課題を解決するための手段】
【０００７】
本発明は、入力された商品情報に基づいて商品販売データを処理する商品販売データ処理装置、例えばＰＯＳ端末において、入力された商品情報を表示するための商品情報エリアを有する表示部と、入力された商品情報で商品販売データの処理が可能か否かを判断する処理可否判断手段と、この処理可否判断手段により商品販売データの処理が可能であると判断されたときと不可能であると判断されたときとで商品情報エリアの表示状態を変更する表示変更手段とを備えたものである。
【発明の効果】
【０００８】
かかる手段を講じた本発明によれば、入力された商品情報では商品販売データを処理できない状況をオペレータに的確に知らせることができ、誤操作を防止できる商品販売データ処理装置を提供できる。
【発明を実施するための最良の形態】
【０００９】
以下、本発明を実施するための最良の形態について、図面を用いて説明する。  
なお、この実施の形態は、商品販売データ処理装置の一態様であるＰＯＳ端末に本発明を適用した場合である。
【００１０】
図１は本実施の形態におけるＰＯＳ端末１の外観構成を示す斜視図であり、図２は同ＰＯＳ端末１の要部構成を示すブロック図である。ＰＯＳ端末１は、その筐体の正面側にキーボード２とオペレータ用ディスプレイ３とを設けており、背面側に客用ディスプレイ４を設けている。また、レシート等を印字するためのプリンタ５を内蔵しており、このプリンタ５によって印字されたレシートをレシート発行口６から排出するものとなっている。また、現金等を収容するためのドロワ７を筐体下部に形成するとともに、バーコードを光学的に読取るためのスキャナ８を接続している。なお、スキャナ８は図示するようなハンド式のものに限定されるものではなく、例えば定置式のスキャナであってもよい。
【００１１】
ＰＯＳ端末１は、制御部本体としてＣＰＵ（Central Processing Unit）１１を搭載している。また、プログラム等の固定的データが予め格納されたＲＯＭ（Read Only Memory）１２、商品販売データ処理で発生する可変的なデータを書換え自在に記憶するための種々のメモリエリアが形成されるＲＡＭ（Random Access Memory）１３、現在の日付及び時刻を計時する時計部１４、通信回線を介して接続されるホスト装置３０とのデータ通信を司る通信インターフェイス１５、前記キーボード２を制御して操作キーに対応したキー信号を取り込むキーボードコントローラ１６、前記オペレータ用ディスプレイ３に対する画面表示を制御する表示コントローラ１７、前記客用ディスプレイ４に対する画面表示を制御する表示コントローラ１８、前記プリンタ５の印字，排紙動作等を制御するプリンタコントローラ１９、前記スキャナ８を制御してスキャニングされたバーコードデータを取り込むスキャナコントローラ２０、前記ドロワ７に対して開放駆動信号を出力するＩ／Ｏポート２１等を搭載している。そして、前記ＣＰＵ１１と、ＲＯＭ１２，ＲＡＭ１３，時計部１４，通信インターフェイス１５，Ｉ／Ｏポート２１及び各コントローラ１６〜２０とを、アドレスバス，データバス等のバスライン２２で接続している。
【００１２】
前記ホスト装置３０には、図３に示すように、各商品毎にそれぞれ設定されるＰＬＵ（Price Look Up）コード別に、そのＰＬＵコードが割当てられた商品の名称、当該商品が属する分類の部門コード、当該商品１点当たりの価格である単価、当該商品の税区分を識別するための税区分フラグ及び単価入力強制か否かを識別するための単価強制フラグの各商品情報が予め設定されたＰＬＵファイル３１が保存されている。なお、例えばＨＤＤ（Hard Disk Drive）装置を実装したＰＯＳ端末であれば、ＰＬＵファイル３１をＨＤＤ装置に保存するようにしてもよい。
【００１３】
大部分の商品には、ＰＬＵコードに対応したバーコードが付されており、このバーコードをスキャナ８でスキャニング操作することによってＰＬＵコードつまりは商品固有の商品コードをＰＯＳ端末１に入力できるようになっている。また、キーボード２には、置数キーとＰＬＵキーが設けられており、これらのキー操作によって商品コード（ＰＬＵコード）をＰＯＳ端末１に入力することも可能である。
【００１４】
因みに、キーボード２には、上記置数キー及びＰＬＵキーの他、金額キー，部門キー，乗算キー，税区分キー，小計キー，預／現計キー，クリアキー，値引キー等の販売登録に必要な各種キーが配設されている。
【００１５】
ＰＬＵファイル３１に保存される商品情報の項目において、税区分フラグは、対応するＰＬＵコードが設定された商品が単価に税額を含まない外税商品であるか、税額を含む内税商品であるか、課税対象外の非課税商品であるかを識別するフラグである。この実施形態では外税商品を“１”とし、内税商品を“２”とし、非課税商品を“３”とする。なお、課税対象商品において例えば現時点では単価に税額を含まないが、タイムサービス期間中は単価に税額を含むとみなして値引販売する特売商品のように、単価が税額を含む場合と含まない場合とが混在する商品のＰＬＵコードに対しては、便宜上、税区分フラグを“０”とする。そして、この種の商品については、販売登録時に税区分フラグを置数キー（外税販売する場合は“１”、内税販売する場合は“２”）で置数し、税区分キーを操作することによって、税区分を入力する。
【００１６】
単価強制フラグは、対応するＰＬＵコードが設定された商品が販売登録時に単価を手入力する単価入力強制商品か否かを識別するフラグであって、この実施形態では単価入力強制商品のＰＬＵコードに対しては“１”とし、ＰＬＵファイル３１にプリセットされた単価を使用する単価入力非強制商品のＰＬＵコードに対しては“０”とする。そして、単価入力強制商品については、販売登録時に単価を置数キーで置数し、金額キーを操作することによって、単価データを入力する。
【００１７】
ところで、本実施の形態において、オペレータ用ディスプレイ３はＴＦＴ（Thin Film Transistor）カラー液晶ディスプレイであり、このオペレータ用ディスプレイ３には、商品販売データ処理に際して図５に示す登録画面４０が表示されるようになっている。この登録画面４０は、上から、日時，取引番号，責任者名等が表示されるヘッダエリア４１、１商品売買取引において入力された商品情報を累積的に表示する登録履歴エリア４２、入力された最新の商品情報を表示する商品情報エリア４３、１商品売買取引の小計金額，税額，請求金額，釣銭額等を表示する金銭情報エリア４４及びガイダンス等を表示するフッタエリア４５に区分されている。
【００１８】
商品情報エリア４３は、図６に示すように、商品名表示部４３１、部門コード表示部４３２、単価表示部４３３、点数表示部４３４、金額表示部４３５及び税区分表示部４３６に区分されている。商品名表示部４３１には、ＰＬＵファイル３１に設定されている名称データ等が表示される。部門コード表示部４３２には、ＰＬＵファイル３１に設定されている部門コード若しくは部門キーによって入力された部門コードが表示される。単価表示部４３３には、ＰＬＵファイル３１に設定されている単価データ若しくは置数キーと金額キーとによって入力された単価データが表示される。点数表示部４３４には、初期値として“１”が表示されており、置数キーと乗算キーとによって乗数が入力された場合にはその乗数が表示される。金額表示部４３５には、単価に点数を乗算して算出した金額データが表示される。税区分表示部４３６には、ＰＬＵファイル３１に設定されている税区分フラグによって識別される税区分（外税商品、内税商品、非課税商品）若しくは置数キーと税区分キーとによって入力された税区分の識別マークが表示される。
【００１９】
上記商品情報エリア４３に表示される商品名，部門コード，単価，点数、金額、税区分の各データは、ＲＡＭ１３に形成されている商品情報ワークテーブル５０に一時的に記憶される。商品情報ワークテーブル５０の構造を図４に示す。図示するように、商品情報ワークテーブル５０には、上記商品名，部門コード，単価，点数、金額、税区分の各データが記憶されるエリアの他、ＰＬＵコード及び未確定フラグの記憶エリアが確保されている。未確定フラグは、商品情報ワークテーブル５０に記憶された商品情報では商品販売データの処理が不可能であるとき“１”にセットされ、可能になると“０”にリセットされる。
【００２０】
しかして、本実施の形態のＰＯＳ端末１は、ＣＰＵ１１が図７の流れ図に示す手順で商品販売データ処理の一態様であるＰＬＵ登録処理を実行するように構成されている。すなわちＣＰＵ１１は、ＳＴ（ステップ）１としてＰＬＵコードが入力されるのを待機している。そして、スキャナ８によるバーコードのスキャニング操作あるいはキーボード２の置数キーとＰＬＵキーの操作によりＰＬＵコードが入力されたことを検知すると、ＣＰＵ１１は、ＳＴ２としてホスト装置３０に対して問合せコマンドを送信して、入力されたＰＬＵコードに対応してＰＬＵファイル３１に設定されている商品情報を問合わせる。
【００２１】
次に、ＣＰＵ１１は、ＳＴ３としてホスト装置３０から当該ＰＬＵコードに対応する商品情報（名称，部門コード、単価、税区分フラグ、単価強制フラグ）の応答を受信すると、ＳＴ４としてこのＰＬＵコード，名称．部門コード，単価，税区分フラグと、点数＝１と、金額＝単価×点数とを商品情報ワークテーブル５０に上書き記憶させる。そして、ＳＴ５として商品情報ワークテーブル５０内のＰＬＵコード，名称，部門コード，単価，点数、金額及び税区分フラグに対応した税区分マークを、登録画面４０における商品情報エリア４３の商品名表示部４３１、部門コード表示部４３２、単価表示部４３３、点数表示部４３４、金額表示部４３５及び税区分表示部４３６にそれぞれ表示させる。
【００２２】
次に、ＣＰＵ１１は、ＳＴ６として受信した商品情報中の単価強制フラグを調べる。ここで、単価強制フラグが“１”にセットされていた場合には、当該ＰＬＵコードが設定された商品は販売登録時に単価を手入力する単価入力強制商品であり、単価が入力されないと商品販売データの処理が不可能なので、ＣＰＵ１１は、ＳＴ７として商品情報ワークテーブル５０の未確定フラグを“１”に変更する。また、ＳＴ８として登録画面４０におけるフッタエリア４５に単価の入力を要求するガイダンス（例えば「単価を入力してください」）を表示させる。この状態で、ＣＰＵ１１は、ＳＴ９として単価データが入力されるのを待機する。そして、置数キーと金額キーとにより単価データが入力されたならば、ＣＰＵ１１は、ＳＴ１０としてその単価データ及びこの単価データで算出し直した金額データを商品情報ワークテーブル５０に上書き記憶させる。また、これに合せて商品情報エリア４３の単価表示部４３３及び金額表示部４３５の値を更新する。しかる後、ＳＴ１１として未確定フラグを“０”に戻したならば、ＣＰＵ１１は、ＳＴ１２の処理に進む。なお、ＳＴ６にて単価強制フラグが“０”にリセットされていた場合には、上記ＳＴ７〜ＳＴ１１の処理を行わずにＳＴ１２の処理に進む。
【００２３】
ＳＴ１２では、ＣＰＵ１１は、商品情報ワークテーブル５０に記憶されている税区分フラグを調べる。ここで、税区分フラグが“０”であった場合には、当該ＰＬＵコードが設定された商品は販売登録時に税区分フラグを手入力する税区分未設定商品であり、税区分が入力されないと商品販売データの処理が不可能なので、ＣＰＵ１１は、ＳＴ１３として商品情報ワークテーブル５０の未確定フラグを“２”に変更する。また、ＳＴ１４として登録画面４０におけるフッタエリア４５に税区分の入力を要求するガイダンス（例えば「税区分を入力してください」）を表示させる。この状態で、ＣＰＵ１１は、ＳＴ１５として税区分フラグが入力されるのを待機する。そして、置数キーと税区分キーとにより税区分フラグが入力されたならば、ＣＰＵ１１は、ＳＴ１６としてその税区分フラグを商品情報ワークテーブル５０に上書き記憶させる。また、これに合せて商品情報エリア４３の税区分表示部４３６の税区分マークを更新する。しかる後、ＳＴ１７として未確定フラグを“０”に戻したならば、ＣＰＵ１１は、ＳＴ１８の処理に進む。なお、ＳＴ１２にて税区分フラグが“０”でない、つまり“１”，“２”または“３”の場合には、上記ＳＴ１３〜ＳＴ１７の処理を行わずにＳＴ１８の処理に進む。
【００２４】
ＳＴ１８では、ＣＰＵ１１は、商品情報ワークテーブル５０に記憶された商品情報に基づいて商品販売データの登録処理を実行する。例えば、点数及び金額を点数合計器及び金額合計器に加算する。また、税区分が外税の場合には、外税額を算出し、税額合計器に加算する。また、商品情報ワークテーブル５０のデータをトランザクションデータとしてトランザクションメモリに記憶する。なお、各合計器及びトランザクションメモリは、１商品売買取引の登録開始に先立ってクリアされるようにっている。
【００２５】
しかる後、ＣＰＵ１１は、ＳＴ１９として点数合計器にて算出される売上点数と、金額合計器にて算出される小計額と、税額合計器にて算出される外税額と、小計額と外税額の合計である請求金額とを、登録画面４０の金銭情報エリア４４に表示させて、今回のＰＬＵ登録処理を終了する。
【００２６】
ここに、ＰＯＳ端末１は、ＣＰＵ１１が実行するＰＬＵ登録処理のＳＴ６及びＳＴ１２の処理により、入力された商品情報（入力された商品コードに基づいて取得した商品情報）で商品販売データの処理が可能か否かを判断する処理可否判断手段を構成している。
【００２７】
また、ＰＯＳ端末１は、ＣＰＵ１１が図８に示す手順で商品情報エリア４３の背景色を制御するように構成されている。
【００２８】
すなわちＣＰＵ１１は、ＳＴ２１として商品情報ワークテーブル５０に記憶されている未確定フラグを調べる。そして、未確定フラグが“０”であった場合には、商品情報エリア４３の背景色を第１の色（例えば黄系統の色）とし、未確定フラグが“１”であった場合には第２の色（例えば緑系統の色）とし、未確定フラグが“２”であった場合には第３の色（例えば赤系統の色）とする。なお、商品情報エリア４３に表示される文字は黒とする。また、少なくとも第２の色と第３の色は、登録画面４０の他のエリア４１，４２，４４，４５で使用されていない色とする。
【００２９】
ここに、ＰＯＳ端末１は、ＣＰＵ１１が実行する背景色制御処理により、処理可否判断手段により商品販売データの処理が可能であると判断されたときと不可能であると判断されたときとで商品情報エリア４３の表示状態を変更する表示変更手段を構成している。
【００３０】
このように本実施の形態のＰＯＳ端末においては、買物客が買上げる商品のＰＬＵコードをオペレータが入力して商品登録を行った際に、その商品が単価入力強制商品であった場合には、オペレータ用ディスプレイ３に表示されている登録画面４０の商品情報エリア４３の背景色が第２の色になる。これにより、オペレータは、商品登録作業で注視している商品情報エリア４３の背景色が第２の色になったことから、登録した商品は単価の入力が必要であることを認識できる。そこで、置数キーと金額キーを操作して当該商品の単価を入力する。そうすると、商品情報エリア４３の背景色が第１の色に代わるので、オペレータは当該商品の商品販売データが登録処理されたことを認識できる。
【００３１】
また、商品が税区分未確定商品であった場合には、オペレータ用ディスプレイ３に表示されている登録画面４０の商品情報エリア４３の背景色が第３の色になる。これにより、オペレータは、商品情報エリア４３の背景色が第３の色になったことから、登録した商品は税区分の入力が必要であることを認識できる。そこで、置数キーと税区分キーを操作して当該商品の税区分を入力する。そうすると、商品情報エリア４３の背景色が第１の色に代わるので、オペレータは当該商品の商品販売データが登録処理されたことを認識できる。
【００３２】
このように、本実施の形態によれば、商品販売データの処理が可能であるときと不可能であるときとで商品情報エリア４３の背景色を変更するようにしたので、商品情報エリアを注視しているオペレータに対して、入力された商品情報では商品販売データを処理できない状況を的確に知らせることができる。その結果、例えば単価入力が必要なときに単価入力以外の誤操作をしてしまうことがなくなるので、誤操作による処理効率の低下を未然に防ぐことができる。
【００３３】
また、本実施の形態では、単価入力が必要なときには商品情報エリア４３の背景色を第２の色とし、税区分入力が必要なときには商品情報エリア４３の背景色を第３の色とするように、入力が必要な項目に応じて背景色を異ならせるようにしたので、オペレータは背景色の違いによって入力すべき項目を容易に把握できる利点もある。
【００３４】
なお、この発明は前記実施形態そのままに限定されるものではなく、実施段階ではその要旨を逸脱しない範囲で構成要素を変形して具体化できる。
【００３５】
例えば前記実施の形態では、商品販売データの処理が可能であるときと不可能であるときとで商品情報エリア４３全体の背景色を変更したが、例えば単価入力が必要なときには単価表示部４３３の背景色を変更し、税区分入力が必要なときには税区分表示部４３６の背景色を変更するというように、入力が必要な項目の表示部における背景色を変更してもよい。また、背景色を変更するのでなく商品情報エリア４３の各表示部４３１〜４３６に表示される文字の色を変更することによって、オペレータに注意を喚起するようにしてもよい。同様に、商品販売データの処理が不可能であるときには商品情報エリア４３の各表示部４３１〜４３６に表示される品名等の文字を点滅させることによってオペレータに注意を喚起するようにしても、前記実施形態と同様な効果を奏することができる。
【００３６】
この他、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を組合わせてもよい。
【図面の簡単な説明】
【００３７】
【図１】本発明の一実施形態であるＰＯＳ端末の外観斜視図。
【図２】同ＰＯＳ端末の要部構成を示すブロック図。
【図３】本実施の形態におけるＰＬＵファイルのデータ構造を示す模式図。
【図４】本実施の形態においてＰＯＳ端末が有する商品情報ワークテーブルのデータ構造を示す模式図。
【図５】本実施の形態においてＰＯＳ端末のオペレータ用ディスプレイに表示される登録画面の平面図。
【図６】同登録画面の商品情報エリアを拡大して示す図。
【図７】本実施の形態においてＰＯＳ端末のＣＰＵが実行するＰＬＵ登録処理の要部手順を示す流れ図。
【図８】同ＣＰＵが実行する背景色制御処理の要部手順を示す流れ図。
【符号の説明】
【００３８】
１…ＰＯＳ端末、２…キーボード、３…オペレータ用ディスプレイ、４…客用ディスプレイ、１１…ＣＰＵ、３１…ＰＬＵファイル、４０…登録画面、４３…商品情報エリア、５０…商品情報ワークテーブル。
【図１】
2006065568.tif 000003
【図２】
2006065568.tif 000004
【図３】
2006065568.tif 000005
【図４】
2006065568.tif 000006
【図５】
2006065568.tif 000007
【図６】
2006065568.tif 000008
【図７】
2006065568.tif 000009
【図８】
2006065568.tif 000010